(57)【要約】【課題】複数の情報記録媒体の再生及び記録の少なくとも一方を同時に行うことができ、かつ同一の外部装置で確認できる情報記録再生装置を提供する。【解決手段】本発明の情報記録再生装置は、バッファデータ処理部１２を備えている。これにより、複数の情報記録媒体（光ディスクＤ１１、・・・光ディスクＤｋ１、・・・、光ディスクＤｎ１）の中から選択され、バッファＩ部８に記憶されている情報記録媒体の情報信号（データＡ１とデータＡｋ）を１つのデータ（Ｂ１＋Ｂｋ）に変換することができる。その結果、複数の情報信号を含んだ変換データを同時に同一の外部装置１４で確認できる。さらに、バッファ制御部１３により同時に外部装置１４に出力したい情報記録媒体１を選択して、また、バッファ選択部９により外部装置１４に出力する情報信号を選択して、外部装置１４に出力できる。【選択図】  図１
2004185703.tif 000002
【特許請求の範囲】
【請求項１】
情報記録媒体の情報信号の再生及び記録の少なくとも一方を行うヘッド装置もしくはピックアップ装置と、情報記録媒体と当該ヘッド装置もしくはピックアップ装置とを駆動する駆動装置とを含むユニットを、複数の情報記録媒体のそれぞれに対応して備え、複数の情報記録媒体の情報信号の再生および記録の少なくとも一方を行う情報記録再生装置において、
上記複数の情報記録媒体の情報信号のうち、少なくとも２以上の情報信号を、１つの情報信号に変換する信号変換手段を備えていることを特徴とする情報記録再生装置。
【請求項２】
上記信号変換手段は、上記少なくとも２以上の情報信号を、所定の容量以内の１つの情報信号に変換することを特徴とする請求項１に記載の情報記録再生装置。
【請求項３】
上記情報記録再生装置は、さらに、上記信号変換手段により変換される、上記少なくとも２以上の情報信号を選択する変換信号選択手段を備えていることを特徴とする請求項１に記載の情報記録再生装置。
【請求項４】
上記情報記録再生装置は、さらに、上記複数の情報記録媒体の情報信号と、上記信号変換手段により変換された変換情報信号とから、少なくとも１つの情報信号を選択する出力信号選択手段と、
当該出力信号選択手段により選択された情報信号を再生手段に出力する信号出力手段とを備えていることを特徴とする請求項１に記載の情報記録再生装置。
【請求項５】
上記情報記録再生装置は、さらに、上記複数の情報記録媒体のうちの少なくとも１つの所定の情報記録媒体、または、当該所定の情報記録媒体に対応した上記ユニットを選択する記録媒体選択手段を備えていることを特徴とする請求項１に記載の情報記録再生装置。
【請求項６】
上記複数の情報記録媒体は、異なる規格の情報記録媒体を組み合わせたものであることを特徴とする請求項１に記載の情報記録再生装置。
【発明の詳細な説明】
【０００１】
【発明の属する技術分野】
本発明は、情報信号の再生及び記録の少なくとも一方を行う情報記録再生装置に関し、例えば、複数の光記録媒体や磁気記録媒体等の情報記録媒体の情報信号を、同時に少なくとも１つの外部装置に再生可能な情報記録再生装置に関するものである。
【０００２】
【従来の技術】
現在、情報記録媒体には、光ディスク等の光記録媒体や、ハードディスクやビデオテープ等の磁気記録媒体や、光と磁気とを融合した光磁気ディスク等の光磁気記録媒体等がある。例えば、光記録媒体となる光ディスクでは、ＣＤ、ＣＤ−ＲＯＭ、ＤＶＤ−ＲＯＭ等の再生専用光ディスクや、ＣＤ−Ｒ、ＤＶＤ−Ｒ等の追記型光ディスクや、ＣＤ−ＲＷ、ＤＶＤ＋ＲＷ／−ＲＷ、ＤＶＤ−ＲＡＭ等の書き換え可能型光ディスクや、大容量化がさらに進んだ光ディスク等、様々な規格が乱立している。さらには、磁気記録媒体となる磁気ディスクや磁気テープ等があり、光磁気記録媒体となる光磁気ディスクでは、ＭＯ、ＭＤ等を入れるとさらに多くの規格がある。
【０００３】
したがって、規格毎に対応した情報記録再生装置を複数揃えれば、複数の規格の情報記録媒体を再生または記録再生できるが、設置場所を大きくとってしまうという問題が生じる。
【０００４】
そのため、近年、この問題を解決すべく、１台で複数の規格の情報記録媒体を再生、または、記録と再生との両方を行うことができる情報記録再生装置が開発されており、よりコンパクトになっている。
【０００５】
例えば、パーソナルコンピュータ用に備えられるＣＤ−Ｒ／ＲＷとＤＶＤ−ＲＯＭとを組み合わせた記録再生装置、テレビジョン映像用に備えられるハードディスクとＤＶＤ−ＲＡＭとを組み合わせた記録再生装置等が相当する。このように、１台で複数の規格の情報記録媒体を再生または記録・再生に対応できるような情報記録再生装置が開発されている。そして、今後さらに増えると予想される情報記録媒体の規格に対して、１台もしくは少ない台数で対応できる情報記録再生装置が提案されるであろう。
【０００６】
これらの情報記録再生装置は、情報記録媒体のデータを記録再生するヘッド装置もしくはピックアップ装置と、情報記録媒体を搭載し情報記録媒体と前記ヘッド装置及びピックアップ装置を駆動するドライブ装置とから構成されている。前述のような複数の情報記録媒体の再生または記録・再生を行う情報記録再生装置は、
（１）１台のヘッド装置もしくはピックアップ装置と、それに対応した１台のドライブ装置で複数の情報記録媒体に対応したもの；
（２）複数のヘッド装置もしくはピックアップ装置と、それらに対応した複数のドライブ装置で複数の情報記録媒体に対応したもの；
（３）前記（１）と（２）とを組み合わせたもので、１台のヘッド装置もしくはピックアップ装置とそれに対応した１台のドライブ装置の組み合わせを複数用意したものの３種類に大別される。
【０００７】
前記（１）の装置には、例えば、ＣＤ−Ｒ／ＲＷとＤＶＤ−ＲＯＭの双方に対応できる１台の光ピックアップ装置と１台のドライブ装置とが備えられている。これは、半導体レーザの波長がＣＤ−Ｒ／ＲＷ用に７８０ｎｍのものと、ＤＶＤ−ＲＯＭ用に６５０ｎｍのものとが１台の光ピックアップ装置に搭載され、さらに光ディスクに集光する光学系も双方に対応できるように一つに共通化することで１台の光ピックアップ装置として構成され、ドライブ装置も同様に双方に対応できる構成となっている。
【０００８】
前記（２）の装置には、例えば、ハードディスク用の磁気ヘッド装置とそのドライブ装置と、ＤＶＤ−ＲＡＭ用の光ピックアップ装置とそのドライブ装置とが１台の装置に備えられている。
【０００９】
前記（３）の装置には、例えば、ハードディスク用の磁気ヘッド装置とそのドライブ装置と、装置（１）に相当するＣＤ−Ｒ／ＲＷとＤＶＤ−ＲＯＭ双方に対応できる光ピックアップ装置とそのドライブ装置とが１台の装置に備えられている。
【００１０】
さらに、複数の規格の情報記録媒体を同時に再生または記録・再生できる情報記録再生装置が提案されている。例えば、光ディスクの再生装置及び記録再生装置が、特開平５−１１４２４３号公報、特開平１０−１７２２４１号公報、及び特開平１１−２８８５７９号公報に開示されている（特許文献１〜３参照）。
【００１１】
特開平５−１１４２４３号公報では、１ドライブ装置＋複数光ピックアップ装置方式、すなわち、複数の光ディスクを１つのモータで駆動し、それぞれの光ディスクに対応した光ピックアップ装置を備えた光ディスク再生装置または記録再生装置が開示されている。この装置は、複数の光ディスクの同一半径位置で固定された光ピックアップ装置がドライブ装置によって駆動し、それぞれの光ディスクの同一半径位置にデータを記録するものである。
【００１２】
特開平１０−１７２２４１号公報では、１ドライブ装置＋１光ピックアップ装置方式、１ドライブ装置＋複数光ピックアップ装置方式、そして複数ドライブ装置＋複数光ピックアップ装置方式で、複数情報を同時に書き換え型の複数枚の光ディスクあるいは多層膜光ディスクの層膜毎に同時に記録するものである。この場合、記録する複数チャンネルの情報を所定時間だけ記憶するために光ディスク毎もしくは層膜毎にバッファを用意し、時間をずらして光ディスク毎、もしくは層膜毎に情報を記録するものである。
【００１３】
特開平１１−２８８５７９号公報では、再生及び記録再生動作前に各光ディスクのインデックス情報を記憶するための別メモリを設け、再生及び記録再生するときには前記インデックス情報より所望の光ディスクの領域とそれに対応する光ピックアップとドライブ装置とを指定することで、再生及び記録をより簡易に行うものである。
【００１４】
【特許文献１】特開平５−１１４２４３号公報（公開日１９９３年５月７日）
【００１５】
【特許文献２】特開平１０−１７２２４１号公報（公開日１９９８年６月２６日）
【００１６】
【特許文献３】特開平１１−２８８５７９号公報（公開日１９９９年１０月１９日）
【００１７】
【発明が解決しようとする課題】
上述した従来の複数の情報記録媒体を再生及び記録再生する情報記録再生装置で、１ドライブ装置＋１ピックアップ装置方式では、複数の情報記録媒体を同時に搭載することはできないといった根本的な欠点がある。
【００１８】
また、複数ドライブ装置＋複数ピックアップ装置方式、あるいは１ドライブ装置＋１ピックアップ装置を複数組採用した方式でも、それぞれの情報記録媒体を独立して動作は行うが、同時にその再生情報及び記録情報を外部装置に出力することはできないものが殆どである。たとえできたとしても情報を出力する外部装置が複数必要となり、外部装置を設置するための設置場所を広くとるだけではなく、外部装置と情報記録再生装置との接続が複雑化し、外部装置に出力される情報を同時に確認するのも困難となる。
【００１９】
さらに、前記特開平５−１１４２４３号公報では、複数枚の光ディスクを搭載するのは可能であるが、複数ある光ピックアップ装置が決められた半径位置でのみ記録対応しており、さらにドライブ装置が１つであるため、ＣＤグループとＤＶＤ−ＲＯＭ等規格の異なる光ディスクの場合は、光ディスクの回転制御方式が異なるため、それぞれの光ディスクの再生及び記録を同時に行うことは出来ず、各光ディスクに対応した光ピックアップ装置が固定されているためにランダムな領域を指定して再生及び記録することはできないといった欠点がある。たとえデータを一時的に保管するバッファを設けて、各光ディスクの再生及び記録を行うとしても、光ピックアップ装置及びドライブ装置の動作が複雑になってしまうため現実的ではない。
【００２０】
また、前記特開平１０−１７２２４１号公報では、複数ドライブ装置＋複数光ピックアップ装置方式において、複数チャンネルの情報を複数の光ディスクに同時に記録することは可能であるが、複数の記録信号もしくは再生信号を同時に１つの外部装置へ出力することについては何ら記載も示唆もない。また、複数枚の光ディスクの再生と記録を同時に行おうとした場合、１ドライブ装置＋１光ピックアップ装置方式及び１ドライブ装置＋複数光ピックアップ装置方式では、複数枚の光ディスクを搭載することは不可能であり、当然複数の光ディスクの再生及び記録を同時に行うことは出来ない。
【００２１】
さらに、前記特開平１１−２８８５７９号公報では、複数ある光ディスクの中で、所定の光ディスクを所定のドライブ装置及び光ピックアップ装置で再生する提案であり、複数の光ディスクを同時に再生及び記録動作を行うものではなく、さらにその複数の再生情報及び記録情報を外部装置へ出力する手段に関する提案ではない。
【００２２】
このように、従来の情報記録再生装置は、複数の記録媒体の情報信号を同時に複数の外部装置で再生することは可能である。しかしながら、これまでに、複数規格の記録媒体の情報信号を１つのデータに変換することはできなかった。したがって、従来の情報記録再生装置は、複数規格の記録媒体の情報信号を、同時に同一の外部装置に出力することはできないという問題点を有している。
【００２３】
本発明は上記従来の課題に鑑みてなされたものであり、その目的は、複数の情報記録媒体を同時に再生および記録の少なくとも一方を行い、かつ、当該複数の情報記録媒体から得られる複数の異なる再生情報データまたは記録再生データを、同時に１つ以上の外部装置に出力可能な情報記録再生装置を提供することにある。すなわち、複数の記録媒体から２以上の複数の情報信号を１つの情報信号に変換することにより、複数の情報信号を同時に外部装置に出力可能な情報記録再生装置を提供することにある。
【００２４】
【課題を解決するための手段】
本発明の情報記録再生装置は、上記課題を解決するために、情報記録媒体の情報信号の再生及び記録の少なくとも一方を行うヘッド装置もしくはピックアップ装置と、情報記録媒体と当該ヘッド装置もしくはピックアップ装置とを駆動する駆動装置とを含むユニットを、複数の情報記録媒体のそれぞれに対応して備え、複数の情報記録媒体の情報信号の再生および記録の少なくとも一方を行う情報記録再生装置において、上記複数の情報記録媒体の情報信号のうち、少なくとも２以上の情報信号を、１つの情報信号に変換する信号変換手段を備えていることを特徴としている。
【００２５】
上記の発明によれば、複数の情報記録媒体が再生されると、信号変換手段が、複数の情報記録媒体の２以上の情報信号を、１つの情報信号に変換する。すなわち、信号変換手段からは、複数の情報記録媒体の情報信号を含んだ１つの情報信号が出力される。これにより、複数の情報信号を同時に１つの情報信号として出力することができる。したがって、変換された情報信号を外部装置に出力することにより、複数の情報信号を同時に同一の外部装置で確認できる。
【００２６】
ところで、従来、複数の記録媒体の情報信号を同時に同一の外部装置で確認することはできなかった。例えば、ＤＶＤ−ＲＯＭの再生情報信号と、ＤＶＤ−ＲＡＭに記録しているテレビジョン信号などの記録情報信号とを同時に同一の映像モニターに表示できなかった。すなわち、同一映像モニターで各々の情報信号を同時に確認できなかった。したがって、ＤＶＤ−ＲＯＭの再生情報信号と、ＤＶＤ−ＲＡＭの記録情報信号とを同時に映像モニターで確認するためには、各々の情報信号を表示するための２つの映像モニターが必要であった。
【００２７】
これに対して、本発明によれば、信号変換手段が、複数の記録媒体の情報信号の中から任意に選択される２以上の情報信号を、１つの情報信号に変換する。例えば、信号変換手段は、ＤＶＤ−ＲＯＭの再生情報信号と、ＤＶＤ−ＲＡＭの記録情報信号とを、１つの情報信号に変換する。すなわち、変換された１つの情報信号にはＤＶＤ−ＲＯＭの再生情報信号と、ＤＶＤ−ＲＡＭの記録情報信号とが含まれる。
【００２８】
したがって、変換された情報信号を映像モニターに出力すれば、ＤＶＤ−ＲＯＭの再生情報信号と、ＤＶＤ−ＲＡＭの記録情報信号とを同時に１つの映像モニターに表示できる。すなわち、複数の情報記録媒体の情報を同時に同一映像モニターで確認できる。これにより、従来のように、情報記録媒体の数だけ映像モニターを備える必要もなく、従来の映像モニターを用いて、複数の情報記録媒体の情報を同時に同一の映像モニターで確認できる。
【００２９】
なお、上記「情報信号」は、情報記録媒体の再生情報信号であってもよいし、情報記録媒体に記録されている記録情報信号であってもよい。すなわち、上記「情報信号」は、例えば、ＣＤ−ＲＯＭ、ＤＶＤ−ＲＯＭなどの再生情報信号であってもよいし、テレビジョン信号などの外部情報信号を情報記録媒体に記録している記録情報信号であってもよい。
【００３０】
また、本発明の情報記録再生装置は、情報記録媒体の情報信号を再生および記録の少なくとも一方を行うことができるものであればよい。すなわち、本発明の情報記録再生装置は、情報記録媒体の情報を再生する情報再生装置、情報記録媒体の情報を記録する情報記録装置、情報記録媒体に記録している外部情報信号を再生する情報記録再生装置を包含する意味である。例えば、情報記録媒体に外部装置の情報信号を記録する場合に、記録しながら同時にそのデータを異なる外部装置に出力できる。すなわち、複数の情報記録媒体にそれぞれ異なる情報信号を記録していても、その情報信号を１つの情報信号に変換できるので、複数の記録情報も同時に同一映像モニターで確認できる。
【００３１】
本発明の情報記録再生装置は、上記の課題を解決するために、上記信号変換手段は、上記少なくとも２以上の情報信号を、所定の容量以内の１つの情報信号に変換するものであってもよい。
【００３２】
上記の発明によれば、複数の情報記録媒体が再生されると、信号変換手段が、複数の情報記録媒体の２以上の情報信号を、所定の容量以内の１つの情報信号に変換する。これにより、例えば、複数の情報信号を、１つの外部装置から出力可能な容量の１つの情報信号に変換することができる。したがって、変換された情報信号を外部装置に出力することにより、複数の情報信号を同時に同一の外部装置で確認できる。
【００３３】
本発明の情報記録再生装置は、上記の課題を解決するために、さらに、上記信号変換手段により変換される、上記少なくとも２以上の情報信号を選択する変換信号選択手段を備えていてもよい。
【００３４】
上記の発明によれば、変換信号選択手段が、信号変換手段により変換される情報信号を選択する。したがって、複数の情報記録媒体の情報信号の中から、同時に同一の外部装置で出力したい情報信号を選択できる。これにより、出力したい情報信号のみを、同時に同一の外部装置で確認できる。
【００３５】
本発明の情報記録再生装置は、上記の課題を解決するために、さらに、上記複数の情報記録媒体の情報信号と、上記信号変換手段により変換された変換情報信号とから、少なくとも１つの情報信号を選択する出力信号選択手段と、当該出力信号選択手段により選択された情報信号を再生する再生手段と、当該出力信号選択手段により選択された情報信号を上記外部装置に出力する信号出力手段とを備えていてもよい。
【００３６】
上記の発明によれば、出力信号選択手段が、複数の情報記録媒体の情報信号と、信号変換手段により変換された変換信号とから、再生手段に再生したい情報信号を選択する。また、信号出力手段が、出力信号選択信号により選択された情報信号を、再生手段に出力する。
【００３７】
したがって、出力信号選択手段により、複数の情報記録媒体の情報信号、または、信号変換手段により複数の情報信号が１つの情報信号に変換された変換情報信号から、再生手段に出力したい情報信号を選択できる。これにより、出力したい情報信号のみを、同時に同一の外部装置で確認できる。
【００３８】
本発明の情報記録再生装置は、上記の課題を解決するために、さらに、上記複数の情報記録媒体のうち少なくとも１つの所定の情報記録媒体、または、当該所定の情報記録媒体に対応した上記ユニットを選択する記録媒体選択手段を備えていてもよい。
【００３９】
上記の構成によれば、外部情報信号を情報記録媒体に記録する場合、記録媒体選択手段が、情報記録媒体、または、当該情報記録媒体に対応するユニットを選択する。
【００４０】
したがって、情報記録媒体に外部情報信号を記録する場合に、記録媒体選択手段により、記録したい情報記録媒体を選択して外部情報信号を記録できる。さらに、記録媒体選択手段により記録したい情報記録媒体を選択して、複数の外部情報信号を、それぞれ異なる情報記録媒体に記録することもできる。
【００４１】
本発明の情報記録再生装置は、上記の課題を解決するために、上記複数の情報記録媒体は、異なる規格の情報記録媒体を組み合わせたものであってもよい。
【００４２】
上記の構成によれば、情報記録再生装置が、複数の規格の情報記録媒体を備えている。
【００４３】
前述のように、従来、複数の異なる規格の記録媒体の情報を再生した場合、規格が異なるため、同時に同一外部装置（映像モニター）に出力できなかった。したがって、複数の異なる規格の記録媒体の情報を同時に同一の外部装置で確認できなかった。このため、従来は、複数の異なる記録媒体の情報を同時に再生しようとすれば、再生する記録媒体の数だけ、外部装置も必要であった。
【００４４】
これに対して、本発明によれば、複数の異なる規格の記録媒体の情報を再生する場合、信号変換手段が、再生する複数の情報を１つの情報データに変換するので、同時に同一の外部装置に出力できる。したがって、複数の異なる規格の情報記録媒体の情報を同時に同一の外部装置で確認できる。
異なる規格の情報記録媒体の再生情報及び記録情報を、少なくとも一つの出力手段で確認することが可能となる。
【００４５】
なお、当然のことながら、情報記録媒体は、全て同一規格の情報記録媒体であってもよい。この場合も同様に、同一規格の情報記録媒体の異なる情報信号を同時に同一の外部装置で確認できる。
【００４６】
【発明の実施の形態】
本発明の実施形態について図１ないし図６に基づいて説明すれば以下の通りである。なお、本発明はこれに限定されるものではない。
【００４７】
〔実施の形態１〕
（１−１）  従来の情報記録再生装置
本発明の情報記録再生装置の説明に先立ち、従来の情報記録再生装置の一例として、光ディスク再生装置について説明する。
【００４８】
図６は、従来の光ディスク再生装置の構成を示すブロック図である。この光ディスク再生装置は、１ドライブ装置＋１ピックアップ装置方式である。図６に示されるように、従来の光ディスク再生装置は、光ディスク２１と、ユニット２７と、バッファＩ部２８と、インターフェース部１０と、外部装置１４とから構成されている。ユニット２７は、光ピックアップ装置２２と、ドライブ装置２３と、再生信号処理部２４と、サーボ信号生成部２５と、サーボ信号処理部２６とを備えている。そして、光ディスク２１の信号は、ユニット２７により検出された後、バッファＩ部２８で所定時間記憶され、インターフェース部３０を介して外部装置３４に出力される。
【００４９】
なお、ユニット２７は、本実施形態のユニット７と同様の構成であるため、ここでは説明を省略する。
【００５０】
（１−２）  本実施形態の情報記録再生装置
次に、本実施形態の情報記録再生装置について説明する。図１は、本実施形態の情報記録再生装置の構造を示すブロック図である。図１に示されるように、本実施形態の情報記録再生装置は、複数の光ディスクを同時に再生し、１つの外部装置に複数の再生信号を同時に出力する光ディスク再生装置である。
【００５１】
図１に示されるように、本実施形態の光ディスク再生装置は、複数の光ディスク１のそれぞれにドライブ装置３と光ピックアップ装置２が備えられた複数ドライブ＋複数ピックアップ方式である。このため、図１の光ディスク再生装置は、前述した図６に示される従来の光ディスク再生装置の構成とは異なり、複数の光ディスク１と、それぞれの光ディスク１に対応したユニット７とバッファＩ部８とからなる複合装置をｎ組（ｎは任意の整数）備え、さらに、バッファ選択部９と、インターフェース部１０と、バッファＩＩ部１１と、バッファデータ処理部１２と、バッファデータ制御部１３と、図示しない同期手段とを追加して構成されている。
【００５２】
光ディスク（光ディスクＤ１、・・・、光ディスクＤｎ）１（情報記録媒体）の再生データは、ユニット７により読み取られた後、インターフェース部１０を介して外部装置１４に出力される。光ディスク１の種類は、特に限定されるものではなく、規格が異なっていても、同じでもよい。
【００５３】
ユニット（ユニットＵ１、・・・、ユニットＵｎ）７は、光ピックアップ装置２と、ドライブ装置３と、再生信号処理部４と、サーボ信号生成部５と、サーボ信号処理部６とを備えている。
【００５４】
光ピックアップ装置２は、光ディスク１上の情報記録面にレーザ光を集光してその反射光を受光し電気信号に変換して光ディスク１の信号を検出するためのものである。
【００５５】
ドライブ装置３は、光ピックアップ装置２の位置制御を行う機構と、光ディスク１を搭載し回転制御を行う機構とを備えている。そして、光ピックアップ装置２と光ディスク１とを駆動している。
【００５６】
再生信号処理部４は、光ピックアップ装置２から検出された光ディスク１の電気信号からＲＦ信号を生成させるためのものである。また、再生信号処理部４は、例えば、光ディスク１がＤＶＤ−ＲＯＭであれば、ＭＰＥＧ２の従来公知の方法により、光ディスク１の再生情報（圧縮データ）を解凍処理する機能も有している。
【００５７】
サーボ信号生成部５は、光ピックアップ装置２から出射されるレーザ光スポットが光ディスク１の所定のトラックにフォーカス方向及びトラッキング方向に追従するために必要なフォーカスエラー信号及びトラッキングエラー信号を生成するためのものである。
【００５８】
サーボ信号処理部６は、サーボ信号生成部５により生成されたフォーカスエラー信号とトラッキングエラー信号をキャンセルするように、ドライブ装置３に搭載された図示しないアクチュエータに電気信号を送信し、アクチュエータに搭載されている対物レンズのフォーカス方向及びトラッキング方向のサーボ制御を行うためのものである。
【００５９】
バッファＩ部（バッファＩ１部、・・・、バッファＩｎ部）８は、ユニット７により検出されたＲＦ信号をデータとして入力し所定時間記憶するためのものである。また、バッファＩ部８は、インターフェース部１０に直接出力される出力チャンネルと、バッファデータ処理部１２に直接出力される出力チャンネルとの２チャンネルを備えている。
【００６０】
バッファ選択部９は、インターフェース部１０に入力される各バッファＩ部８またはバッファＩＩ部１１に記憶されているバッファのデータの中から、外部装置１４により出力するデータを選択するためのものである。
【００６１】
インターフェース部１０は、バッファ選択部９の選択に応じて、バッファＩ部８の複数チャンネルまたはバッファＩＩ部１１のチャンネルから得られるデータを外部装置１４に出力するためのものである。なお、インターフェース部１０の入力部は、バッファＩ部８の複数出力チャンネルとバッファＩＩ部１１の１出力チャンネルに対応したマルチチャンネルとして構成され、上記インターフェース部１０の出力部は一つのチャンネルもしくは複数チャンネルのどちらかで構成されている。
【００６２】
バッファＩＩ部１１は、バッファデータ処理部１２によりバッファＩ部８の異なる複数のデータを１つのデータに変換されたデータ（すなわち、複数の光ディスク１のデータ）を、所定時間記憶するためのものである。
【００６３】
バッファデータ処理部１２は、バッファデータ制御部１３の指示に応じて、バッファＩ部８に記憶されている複数の光ディスク１のデータを、１つのデータに変換するためのものである。変換されたデータは、後段のバッファＩＩ部１１に出力され、所定時間記憶される。換言すれば、バッファデータ処理部１２は、前記各バッファＩ部８から出力された異なる複数出力チャンネルのデータを入力して異なる複数のデータを１つのデータに変換して、バッファＩＩ部１１に１出力チャンネルから出力する。
【００６４】
バッファデータ制御部１３は、バッファデータ処理部１２において変換するバッファＩ部８のデータを選択する指示と、その選択されたバッファＩ部８のデータの変換方法の指示とを、バッファデータ処理部１２に、指示するのものである。
【００６５】
図示しない同期手段は、各バッファＩ部８からバッファデータ処理部１２へ入力されるデータを同期させるためのものである。
【００６６】
このように、図１の光ディスク再生装置は、光ディスク１と、光ディスク１に対応するユニット７と、ユニット７に対応するバッファＩ部８とを１組とする複合装置をｎ組（ｎは任意の整数）搭載している。ただし、図１のブロック図では、光ディスクＤ１１から光ディスクＤｎ１（ｎ：任意の整数）までのｎ枚の光ディスク１を光ディスク再生装置に搭載し、光ディスクＤｎ１（ｎ：任意の整数）とユニットＵｎ７及びバッファＩｎ部８とが対応している。
【００６７】
次に、図２を用いて、図１の光ディスク再生装置の具体的な処理の一例を説明する。図２は図１のブロック図で構成された光ディスク再生装置の具体的な動作を示す説明図である。
【００６８】
図２の光ディスク再生装置の動作では、ｎ枚の光ディスク１（ｎは任意の整数）（光ディスクＤ１、・・・光ディスクＤｋ（ｋ：任意の整数）、・・・光ディスクＤｎ）が、それぞれの光ディスク１に対応する各ユニット７（ユニットＵ１・・・ユニットＵｋ（ｋ：任意の整数）・・・ユニットＵｎ）によりそれぞれ再生されている。以下では図２を用いて、再生動作している各ユニット７の中から、ユニットＵ１およびユニットＵｋ（ｋ：任意の整数）の再生データを同時に一つの外部装置１４に出力する場合について説明する。
【００６９】
各ユニット７により再生された各光ディスク１の再生データＡ１、・・・、Ａｎは、各ユニット７に対応したバッファＩ部（バッファＩ１部、・・・バッファＩｋ部（ｋ：任意の整数）、・・・バッファＩｎ部）にそれぞれ同時に所定時間記憶される。
【００７０】
次に、バッファデータ制御部１３から、バッファデータ処理部１２に、バッファＩ１部８のデータＡ１とバッファＩｋ部８のデータＡｋとを選択する指示と、選択するデータを１つのデータに変換する変換方法の指示とが出される。例えば、それぞれのデータ（Ａ１およびＡｋ）を半分のデータ容量になるように縮小してデータＢ１及びデータＢｋとし、さらに前記データＢ１とデータＢｋとを組み合わせるように、バッファデータ制御部１３から、バッファデータ処理部１２に指示が出される。
【００７１】
その指示に基づき、図示しないバッファデータ処理部１２内のデータ縮小処理部によりデータＡ１及びＡｋがデータＢ１及びＢｋに縮小され、さらに図示しないバッファデータ処理部１２内のデータ加算部によりデータＢ１とデータＢｋとを組み合わせて１つのデータＢ１＋Ｂｋに変換される。変換データＢ１＋Ｂｋは、バッファＩＩ部１１に出力されて所定時間記憶される。
【００７２】
一方、バッファデータ処理部１２により１つのデータに変換されないデータは、各ユニット７に対応するバッファＩ部８に所定時間記憶されている。すなわち、各ユニット７（ユニットＵ１、・・・、ユニットＵｎ）により読み取られた各光ディスク１（光ディスクＤ１、・・・、光ディスクＤｎ）の再生データＡ１、・・・、Ａｎも同じく、各ユニット７に対応するバッファＩ部８（バッファＩ１部、・・・、バッファＩｎ部）に所定時間記憶されている。
【００７３】
最後に、バッファ選択部９によって、インターフェース部１０から外部装置１４に出力するバッファデータを、各バッファＩ部８（バッファＩ１部、・・・、バッファＩｎ部）及びバッファＩＩ部１１の中から一つ選択される。これにより、外部装置１４には、選択したバッファ部（バッファＩ部８またはバッファＩＩ部１１）のデータが出力される構成となる。つまり、バッファ選択部９により、バッファＩｎ部を選択すればデータＡｎが、バッファＩＩ部を選択すれば変換データＢ１＋Ｂｋがインターフェース部１０を介して外部装置１４に出力される。
【００７４】
ここで、バッファ処理部１２での処理について、ｋ＝２の場合を例に挙げてより具体的に説明する。例えば、光ディスクＤ１１がＤＶＤ−ＲＯＭ、光ディスクＤ２１がＣＤ−ＲＯＭである場合、バッファＩ１部８には、ＤＶＤ−ＲＯＭに記録されている映像データ＋音声データ（データＡ１）が記憶され、バッファＩ２部８には、ＣＤ−ＲＯＭに記録されている音声データ（データＡ２）が記憶される。そして、データＡ１の映像データと、データＡ２の音声データとを同時に再生したい場合、バッファ処理部１２は、データＡ１から音声データを削除して映像データのみのデータＢ１に変換する。さらに、データＡ２の音声データの全体の容量を縮小してデータＢ２に変換する。続いて、変換されたデータＢ１とデータＢ２とを組合わせることにより、１つのデータＢ１＋Ｂ２に変換され、バッファＩＩ部１１に記憶される。バッファ選択部９によりデータＢ１＋Ｂ２を選択すれば、インターフェース部１０を介して、外部装置１４からＤＶＤ−ＲＯＭの映像データと、ＣＤ−ＲＯＭの音声データとが同時に再生できる。
【００７５】
以上のように、本実施形態の光ディスク再生装置によれば、搭載された複数の光ディスク１のうち、一つの任意光ディスク１の再生情報のみを外部装置１４に出力することはもちろん、複数の任意光ディスク１の再生情報を一つの再生情報に変換し、１つの再生情報として外部装置１４に出力することも可能となる。
【００７６】
例えば、光ディスク１として、ＤＶＤ−ＲＯＭとＣＤ−ＲＯＭとを１枚ずつ搭載できる光ディスク再生装置では、映像データ＋音声データが記録されているＤＶＤ−ＲＯＭの映像データのみと、音声データのみ記録されているＣＤ−ＲＯＭの音声データとを同時に再生することができ、同時再生が必要無い場合は一方の情報記録媒体のみ再生すればよい。
【００７７】
なお、上記例では２枚の光ディスク１のデータを１つのデータに変換した例を述べたが、本発明は光ディスク１の枚数に限定されるものではない。さらに、光ディスクなどの光記録媒体以外にも、例えば磁気ディスクや磁気テープのような磁気記録媒体や、光記録媒体と磁気記録媒体との組み合わせでも可能であり、情報記録媒体の種類にも限定されるものではない。また、上記例では全てのユニット７を再生動作させた上で、外部装置１４へ出力するデータを選択していたが、全てのユニット７を再生動作させる必要はなく、外部装置１４へ出力したいデータをもつユニット７のみ動作させることで十分可能である。
【００７８】
さらにデータの変換方法もデータ容量の縮小に限定するものではなく、一部分を組合わせる方法等、様々な変換方法を採用できる。
【００７９】
〔実施の形態２〕
本発明の他の実施の形態について図３ないし図５に基づいて説明すれば、以下の通りである。なお、説明の便宜上、前記実施の形態１にて示した各部材と同一の機能を有する部材には、同一の符号を付記し、その説明を省略する。
【００８０】
図３は、本実施形態の情報記録再生装置の構造を示すブロック図である。図３に示されるように、本実施形態の情報記録再生装置は、複数の光ディスクを同時に記録再生を行う光ディスク記録再生装置である。
【００８１】
図３に示されるように、本実施形態の光ディスク記録再生装置は、前述した図１の光ディスク再生装置とほぼ同様の構成である。
【００８２】
すなわち、本実施形態の光ディスク記録再生装置（情報記録再生装置）は、複数の光ディスク１と、それぞれの光ディスク１に対応したユニット７とバッファＩ部８とからなる複合装置をｎ組（ｎは任意の整数）備え、さらに、バッファ選択部９と、インターフェース部１０と、バッファＩＩ部１１と、バッファデータ処理部１２と、バッファデータ制御部１３と、図示しない同期手段とから構成されている。
【００８３】
図３に示される光ディスク記録再生装置と、図１に示される光ディスク再生装置との相違箇所（記録再生信号処理部１５、バッファＩ部８、バッファ選択部９）について説明する。
【００８４】
本実施形態の光ディスク記録再生装置では、記録にも対応する必要があるため、ユニット７における再生信号処理部４（図１参照）は、図３では記録再生信号処理部１５となる。
【００８５】
記録再生信号処理部１５により、外部装置１４の情報を所定の電気信号に変換して光ピックアップ装置２により光信号としてレーザ光強度の強弱に変換され、光ディスク１にピットを形成していく。また、記録再生信号処理部１５は、搭載する光ディスクの規格にあった光ディスク１のデータを再生する場合の解凍処理と、光ディスク１にデータを記録する場合の圧縮処理とを行う機能と有するものもある。解凍処理および圧縮処理の方法は、例えば、光ディスク１がＤＶＤ−ＲＯＭであれば、ＭＰＥＧ２など従来公知の方法であり、規格に応じた解凍処理及び圧縮処理により行う。
【００８６】
図３の各バッファＩ部８は、インターフェース部１０に直接出力される出力チャンネルと、バッファデータ処理部１２に直接出力される出力チャンネルと、ユニット７内の記録再生信号処理部１５に直接出力される出力チャンネルとの３チャンネルをそれぞれ備えている。なお、図１のバッファＩ部８は、インターフェース部１０に直接出力される出力チャンネルと、バッファデータ処理部１２に直接出力される出力チャンネルとの２チャンネルを備えていた。
【００８７】
バッファ選択部９は、入力選択部９ａと、出力選択部９ｂとを備えている。
【００８８】
出力選択部９ｂは、各バッファＩ部８（バッファＩ１部、・・・、Ｉｎ部）及びバッファＩＩ部１１に蓄積されたデータの中から、少なくとも一つの外部装置１４から出力するデータを選択する。すなわち、出力選択部９ｂは、バッファＩ部８またはバッファＩＩ１１と前記外部装置１４との組み合わせを選択する。
【００８９】
入力選択部９ａは、少なくとも一つの外部装置１４からの少なくとも一つの情報信号を、バッファＩ部８（バッファＩ１部、・・・、Ｉｎ部）のうち任意の少なくとも一つのバッファＩ部８に入力する場合に、前記外部装置１４と前記バッファＩ部８との組み合わせを選択する。
【００９０】
インターフェース部１０は入出力共複数のチャンネルを備えたマルチチャンネルとなっている。
【００９１】
次に、図４、図５により、図３の光ディスク記録再生装置の具体的な処理について説明する。本実施形態の光ディスク記録再生装置の処理は、以下に示す２パターンに分類できる。すなわち、
（ａ）異なる複数の外部装置１４の情報を、同時に異なる複数の光ディスク１に記録する。
（ｂ）任意の外部装置１４の情報を任意の光ディスク１に記録しつつ、同時に異なる光ディスク１を再生する。
【００９２】
まず、図４により（ａ）の処理について説明する。本実施形態の光ディスク記録再生装置では、ｎ枚の光ディスク１（光ディスクＤ１、・・・、光ディスクＤｎ）を各光ディスク１に対応する各ユニット７により記録再生している。以下では、外部装置Ｏ１１４と外部装置Ｏｎ１４とから入力される外部データをそれぞれ異なる光ディスク１（例えば、光ディスクＤ１と光ディスクＤｎ）に同時に記録し、さらにそれぞれの記録情報を１つのデータに変換して異なる外部装置Ｏｍ１４（ｍは任意の整数）に出力する場合について説明する。
【００９３】
外部装置Ｏ１及び外部装置Ｏｎの外部データ（データＡ１及びデータＡｎ）は、バッファ選択部９の入力選択部９ａにより「外部装置Ｏ１１４→バッファＩ１部８」及び「外部装置Ｏｎ→バッファＩｎ部８」の組み合わせを選択することで、インターフェース部１０を介してバッファＩ１部８及びバッファＩｎ部８に入力される。入力されたデータＡ１及びデータＡｎは、バッファＩ１部８及びバッファＩｎ部８にて所定時間記憶される。
【００９４】
次に、データＡ１及びデータＡｎは、それぞれ各バッファに対応したユニットＵ１７及びユニットＵｎ７に向けてそれぞれ出力される。続いて、各ユニット７に対応する各光ピックアップ装置２により、光ディスクＤ１にはデータＡ１に相当するピットが、光ディスクＤｎにはデータＡｎに相当するピットがそれぞれ記録される。それと同時に、バッファデータ制御部１３からバッファデータ処理部１２に、バッファＩ１部８のデータＡ１とバッファＩｎ部のデータＡｎとを選択して、それぞれのデータを半分のデータ容量になるように縮小し、データＢ１及びデータＢｎとする指示が出される。さらに、縮小したデータＢ１とデータＢｎとを合成するようバッファデータ処理部１２に指示も出される。
【００９５】
この指示に基づき、図示しないバッファデータ処理部１２内のデータ縮小処理部によりデータＡ１及びＡｎがデータＢ１及びＢｎに縮小され、さらに図示しないバッファデータ処理部１２内のデータ合成部によりデータＢ１とデータＢｎとを組み合わせて１つのデータＢ１＋Ｂｎに変換される。変換データＢ１＋Ｂｎは、バッファＩＩ部１１に出力され所定時間記憶される。
【００９６】
最後に、バッファ選択部９の出力選択部９ｂにより、「バッファＩＩ部１１→外部装置Ｏｍ１４」を選択することによって、インターフェース部１０から変換データＢ１＋Ｂｎが出力される。
【００９７】
ただし、出力選択部９ｂにより「バッファＩ１部もしくはバッファＩｎ部→外部装置Ｏｍ１４」とすると、データＡ１もしくはデータＡｋのみ外部装置Ｏｍから出力することも可能である。つまり、「バッファＩｎ部→外部装置Ｏｍ」を選択すればデータＡｎが、「バッファＩＩ部→外部装置Ｏｍ」を選択すれば変換データＢ１＋Ｂｎが、インターフェース部１０を介して外部装置Ｏｍに出力されることになる。
【００９８】
以上のように、本実施形態の光ディスク記録再生装置によれば、複数の外部装置１４の情報を同時に複数の光ディスク１に記録しつつ、同時に複数の外部装置１４のうち一つの任意外部装置１４の記録情報のみを異なる外部装置１４へ出力することはもちろん、複数の任意外部装置１４の記録情報を一つの情報に変換して異なる外部装置１４に出力することも可能となる。
【００９９】
例えば、図４を参照して具体的に説明すると、ＤＶＤ−ＲＡＭ（光ディスクＤ１）とＤＶＤ−Ｒ（光ディスクＤｎ）を１つずつ搭載でき、且つ複数のテレビチャンネル信号を同時に受信する入力部を搭載した情報記録再生装置では、ある任意のテレビチャンネル信号（データＡ１）をＤＶＤ−ＲＡＭに記録しつつ、異なる任意のテレビチャンネル信号（データＡｎ）をＤＶＤ−Ｒに同時に記録することができる。さらに、ＤＶＤ−ＲＡＭに記録している映像データ（データＡ１）とＤＶＤ−Ｒに記録している映像データ（データＡｎ）との、どちらか一方の映像データを選択して任意の映像モニター（外部装置Ｏｍ）にて確認することもできるし、２つの映像データを１つのデータに変換（データＢ１＋Ｂｎ）し、同時に一つの映像モニター（外部装置Ｏｍ）にて確認することもできる。
【０１００】
なお、上記例では２つの外部装置１４からのデータを２枚の光ディスク１に記録し、２つの外部装置１４からのデータを１つのデータに変換して１つの外部装置１４に再生して確認する例を述べたが、本発明は外部装置１４の数や光ディスク１の枚数に限定されるものではなく、さらに光ディスクなどの光記録媒体以外にも、例えば磁気ディスクや磁気テープのような情報記録媒体や、光記録媒体と磁気記録媒体との組み合わせでも可能であり、情報記録媒体の種類にも限定されるものではない。
【０１０１】
さらにデータの変換方法もデータ容量の縮小に限定するものではなく、一部分を組合わせる方法等、様々な変換方法を採用できる。
【０１０２】
次に、図５により（ｂ）の処理について説明する。本実施形態の光ディスク記録再生装置では、ｎ枚の光ディスク１（光ディスクＤ１、・・・、光ディスクＤｎ）を各光ディスク１に対応する各ユニット７により記録再生している。以下では▲１▼と▲２▼の処理を同時に行う場合について説明する。
▲１▼外部装置Ｏｎ１４からバッファＩｎ部８に入力される外部データ（Ａｎ）を光ディスクＤｎ１に記録する。
▲２▼▲１▼と同時に、光ディスクＤ１１の再生情報（Ａ１）と、外部装置Ｏｎ１４の外部データ（Ａｎ）とを異なる外部装置Ｏｍ１４に出力（再生）する。具体的には、光ディスクＤ１１をユニットＵ１７により再生し、外部装置Ｏｎ１４から光ディスクＤｎ１に記録される記録情報（Ａｎ）と光ディスクＤ１１の再生情報（Ａ１）とを１つの情報に変換（Ａ１’＋Ｂｎ）し、変換した情報を異なる外部装置Ｏｍ１４に出力する場合について説明する。
【０１０３】
まず、光ディスクＤｎ１に記録される外部装置Ｏｎ１４からの外部データ（データＡｎ）は、バッファ選択部９の入力選択部９ａにおいて「外部装置Ｏｎ１４→バッファＩｎ部８」の組み合わせを選択することで、インターフェース部１０を介してバッファＩｎ部８に入力される。入力されたデータＡｎはバッファＩｎ部８にて所定時間記憶される。
【０１０４】
次にデータＡｎは、ユニットＵｎ７に向けて出力されてユニットＵｎ７内の光ピックアップ装置２により光ディスクＤｎにデータＡｎに相当するピットが記録される。それと同時に、光ディスクＤ１１がユニットＵ１７により再生されて再生データＡ１がユニットＵ１７に対応するバッファＩ１部８に所定時間記憶される。
【０１０５】
バッファＩ部８に記憶されるデータはセクタ１、・・・、セクタＮ（Ｎ：任意の整数）に分けることができる。バッファデータ制御部１３からバッファデータ処理部１２に、バッファＩ１部８のデータＡ１を選択し、データＡ１のセクタ１からセクタＬ（Ｌ：Ｌ＜Ｎを満たす整数）を残してそれ以外のセクタを削除してデータＡ１’に変換するように指示が出される。さらに、バッファＩｎ部８のデータＡｎを選択し、データＡｎがデータＢｎに縮小するような指示も出される。ここでは、縮小されたデータＢｎの容量と、前述のデータＡ１をデータＡ１’に変換したときに削減した容量とが等しくなるように縮小されている。すなわち、データＡ１のうち削減されたデータ容量と、データＢｎの容量とが等しい。
【０１０６】
その指示に基づき、図示しないバッファデータ処理部１２内のデータ削減部によりデータＡ１をデータＡ１’に削減し、図示しないバッファデータ処理部１２内のデータ縮小処理部によりデータＡｎをデータＢｎに縮小し、さらに図示しないバッファデータ処理部１２内のデータ合成部によりデータＡ１’とデータＢｎとを組み合わせてデータＡ１’＋Ｂｎに変換される。変換データＡ１’＋Ｂｎは、バッファＩＩ部１１に出力されて所定時間記憶される。
【０１０７】
最後にバッファ部選択部９の出力選択部９ｂにより、「バッファＩＩ部１１→外部装置Ｏｍ１４」を選択することによって、インターフェース部１０から変換データＡ１’＋Ｂｎを出力される。また、出力選択部９ｂの選択を「バッファＩ１部８もしくはバッファＩｎ部８→外部装置Ｏｍ１４」とすると、データＡ１もしくはデータＡｎのみ外部装置Ｏｍから出力することも可能である。つまり、「バッファＩｎ部８→外部装置Ｏｍ１４」を選択すればデータＡｎが、「バッファＩＩ部１１→外部装置Ｏｍ１４」を選択すればデータＡ１’＋Ｂｎがインターフェース部１０を介して外部装置Ｏｍ１４に出力されることになる。
【０１０８】
このような図５における上記（ｂ）の処理について、ＤＶＤ−ＲＯＭ（光ディスクＤ１１）の再生映像と、ＤＶＤ−ＲＡＭ（光ディスクＤｎ１）に記録しているテレビジョン（外部装置Ｏｎ１４）の記録映像とを組み合わせた映像信号を、映像モニター（外部装置Ｏｍ１４）で確認する場合を例にとり、より詳細に説明する。
【０１０９】
ＤＶＤ−ＲＯＭ（光ディスクＤ１１）の再生映像は、ユニットＵ１１により従来の方法で解凍されバッファＩ１部８にデータＡ１として記憶される。一方、ＤＶＤ−ＲＡＭ（光ディスクＤｎ１）に記録しているテレビジョン（外部装置Ｏｎ１４）の記録映像（ＴＶ信号）は、インターフェース部１０を介してバッファＩｎ部８にデータＡｎとして記憶される。
【０１１０】
次に、バッファデータ処理部１２では、バッファデータ制御部１３からの指示に基づいて、データＡ１のうち映像モニターの画面に表示する領域の１／４を削除してデータＡ１’とすると同時に、データＡｎを当該削除した１／４領域の領域の容量となるようにデータＢｎに加工する処理が行われる。さらに、加工されたデータＡ１’とデータＢｎとを組み合わせてデータＡ１’＋Ｂｎに変換される。
【０１１１】
この変換データＡ１’＋Ｂｎは、バッファＩＩ部に記憶され、出力選択部９ｂの選択に基づいて、インターフェース部１０を介して映像モニター（外部装置Ｏｍ１４）に表示される。この映像モニター（外部装置Ｏｍ１４）の画面の３／４の領域には、データＡ１’が表示され、残りの１／４の領域には、データＢｎが表示される。このようにして、ＤＶＤ−ＲＯＭ（光ディスクＤ１１）の再生映像と、ＤＶＤ−ＲＡＭ（光ディスクＤｎ１）に記録しているＴＶ（外部装置Ｏｎ１４）の記録映像とを組み合わせた映像信号を、映像モニター（外部装置Ｏｍ１４）で同時に確認することができる。
【０１１２】
以上のように、本発明の光ディスク記録再生装置では、一つのあるいは複数の外部装置１４の情報を少なくとも一つの光ディスク１に記録しつつ、同時に少なくとも一つの異なる光ディスク１を再生できる。さらに、その記録あるいは再生している情報を少なくとも一つの外部装置１４へ出力するのはもちろん、記録情報と再生情報を一つの情報に変換して、変換情報を任意の外部装置１４へ出力することも可能となる。
【０１１３】
上記の例では１つの外部装置１４からの記録情報と１枚の光ディスク１の再生情報とを１つのデータに変換した例を述べたが、本発明は外部装置１４の数や光ディスク１の枚数に限定されるものではない。さらに光ディスクなどの光記録媒体以外にも、例えば磁気ディスクや磁気テープのような情報記録媒体や、光記録媒体と磁気記録媒体との組み合わせでも可能で、情報記録媒体にも限定されるものではない。
【０１１４】
さらに、データの変換方法も一部分を組み合わせる方法に限定するものではなく様々な変換方法を採用できる。
【０１１５】
以上各実施形態で説明したように、本発明は次のような特有の効果を有している。すなわち、通常、情報記録媒体の情報信号は規格に沿った所定の圧縮方式（例えばＤＶＤ−ＲＯＭであればＭＰＥＧ２）により圧縮されているものもある。この場合、圧縮データを所定の解凍方式にて解凍して情報信号の再生が行われる。また、情報記録媒体に外部情報信号を記録する場合も同様に、当該外部情報信号を所定の圧縮方式により圧縮して記録しているものもある。本発明の情報記録再生装置は、このような圧縮前または解凍後の複数の情報信号を、１つの情報信号に変換する処理を含んでいる。これにより、複数の情報信号を、１つの情報信号として外部装置に出力できるという特有の効果を有するものである。
【０１１６】
本発明によれば、複数の情報記録媒体を同時に再生及び記録するために、ヘッド装置もしくはピックアップ装置及びドライブ装置、さらには後段の信号処理部を複雑にする必要はない。さらに、情報記録媒体の再生情報及び記録情報を出力するための外部装置を複数用意する必要もない。すなわち、情報を出力する外部装置を一台に集約でき、且つその外部装置において複数の情報記録媒体の再生情報及び記録情報を同時に確認することができる。
【０１１７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１１８】
【発明の効果】
本発明の情報記録再生装置は、以上のように、情報記録媒体の情報信号の再生及び記録の少なくとも一方を行うヘッド装置もしくはピックアップ装置と、情報記録媒体と当該ヘッド装置もしくはピックアップ装置とを駆動する駆動装置とを含むユニットを、複数の情報記録媒体のそれぞれに対応して備え、複数の情報記録媒体の情報信号の再生および記録の少なくとも一方を行う情報記録再生装置において、上記複数の情報記録媒体の情報信号のうち、少なくとも２以上の情報信号を、１つの情報信号に変換する信号変換手段を備えていることを特徴としている。
【０１１９】
したがって、変換された情報信号を外部装置に出力することにより、複数の情報信号を同時に同一の外部装置で確認できるという効果を奏する。例えば、２つの映像情報信号を一つの映像情報信号に変換された情報信号を映像モニターに出力すれば、ＤＶＤ−ＲＯＭの再生情報信号と、ＤＶＤ−ＲＡＭの記録情報信号とを同時に１つの映像モニターに表示できる。また、映像情報信号＋音声情報信号の音声情報信号を異なる音声情報信号として変換して音声スピーカに出力すれば、ＤＶＤ−ＲＯＭの再生情報信号を映像モニターに表示でき、且つ同時にＣＤ−ＲＯＭの音声情報信号をスピーカから出力できる。すなわち、複数の情報記録媒体の情報を同時に同一映像モニターで確認したり、同時に映像モニター及びスピーカで確認できる。これにより、従来のように、情報記録媒体の数だけ映像モニターやスピーカを備える必要もなく、従来の映像モニター及びスピーカを用いて、複数の情報記録媒体の情報を同時に同一の映像モニター及びスピーカで確認できるという効果を奏する。
【０１２０】
本発明の情報記録再生装置は、以上のように、上記信号変換手段は、上記少なくとも２以上の情報信号を、所定の容量以内の１つの情報信号に変換するものであってもよい。
【０１２１】
これにより、例えば、複数の情報信号を、１つの外部装置から出力可能な容量の１つの情報信号に変換することができるという効果を奏する。したがって、変換された情報信号を外部装置に出力することにより、複数の情報信号を同時に同一の外部装置で確認できるという効果を奏する。
【０１２２】
本発明の情報記録再生装置は、以上のように、さらに、上記信号変換手段により変換される、上記少なくとも２以上の情報信号を選択する変換信号選択手段を備えていてもよい。
【０１２３】
それゆえ、複数の情報記録媒体の情報信号の中から、同時に同一の外部装置で出力したい情報信号を選択できる。これにより、出力したい情報信号のみを、同時に同一の外部装置で確認できるという効果を奏する。
【０１２４】
本発明の情報記録再生装置は、以上のように、さらに、上記複数の情報記録媒体の情報信号と、上記信号変換手段により変換された変換情報信号とから、少なくとも１つの情報信号を選択する出力信号選択手段と、当該出力信号選択手段により選択された情報信号を再生する再生手段と、当該出力信号選択手段により選択された情報信号を上記外部装置に出力する信号出力手段とを備えていてもよい。
【０１２５】
それゆえ、出力信号選択手段により、複数の情報記録媒体の情報信号、または、信号変換手段により複数の情報信号が１つの情報信号に変換された変換情報信号から、再生手段に出力したい情報信号を選択できる。これにより、出力したい情報信号のみを、同時に同一の外部装置で確認できるという効果を奏する。
【０１２６】
本発明の情報記録再生装置は、以上のように、さらに、上記複数の情報記録媒体のうち少なくとも１つの所定の情報記録媒体、または、当該所定の情報記録媒体に対応した上記ユニットを選択する記録媒体選択手段を備えていてもよい。
【０１２７】
それゆえ、情報記録媒体に外部情報信号を記録する場合に、記録媒体選択手段により、記録したい情報記録媒体を選択して外部情報信号を記録できるという効果を奏する。さらに、記録媒体選択手段により記録したい情報記録媒体を選択して、複数の外部情報信号を、それぞれ異なる情報記録媒体に記録することもできるという効果を奏する。
【０１２８】
本発明の情報記録再生装置は、以上のように、上記複数の情報記録媒体は、異なる規格の情報記録媒体を組み合わせたものであってもよい。
【０１２９】
それゆえ、複数の異なる規格の記録媒体の情報を再生する場合、信号変換手段が、再生する複数の情報を１つの情報データに変換するので、同時に同一の外部装置に出力できる。したがって、複数の異なる規格の情報記録媒体の情報を同時に同一の外部装置で確認できる。
【図面の簡単な説明】
【図１】本発明の実施の一形態にかかる情報記録再生装置の構成を示すブロック図である。
【図２】図１における複数の情報記録媒体の再生情報を外部装置に出力するための動作を示すブロック図である。
【図３】本発明の別の実施の一形態にかかる情報記録再生装置の構成を示すブロック図である。
【図４】図３における複数の情報記録媒体の記録情報を外部装置に出力するための動作を示すブロック図である。
【図５】図３における複数の情報記録媒体の再生情報と記録情報とを外部装置に出力するための動作を示すブロック図である。
【図６】従来の情報記録再生装置の構成を示すブロック図である。
【符号の説明】
１  光ディスク（情報記録媒体）
２  光ピックアップ装置（再生装置）
３  ドライブ装置（駆動装置）
４  再生信号処理部
５  サーボ信号生成部
６  サーボ信号処理部
７  ユニット
８  バッファＩ部
９  バッファ選択部（出力信号選択手段）
９ａ  入力選択部
９ｂ  出力選択部
１０  インターフェース部（信号出力手段）
１１  バッファＩＩ部
１２  バッファデータ処理部（信号変換手段）
１３  バッファデータ制御部（変換信号選択手段）
１４  外部装置
１５  記録再生信号処理部
【図１】
2004185703.tif 000003
【図２】
2004185703.tif 000004
【図３】
2004185703.tif 000005
【図４】
2004185703.tif 000006
【図５】
2004185703.tif 000007
【図６】
2004185703.tif 000008